(57)【要約】【課題】例えば音楽を聴きながら移動する者に対して駅への接近等を注意喚起できると共に、再生対象たる音楽自体に対する興味を増大させることも可能な出力装置を提供する。【解決手段】ユーザの移動路内に存在する少なくとも二つの駅と、当該各駅を結ぶ線路と、を含む移動路を示す情報と、移動路に沿った移動の方向を示す情報と、を取得すると共に、取得された各情報に基づいて、駅又は駅間に関連付けられている楽曲データをスピーカ２１から放音する。このとき、駅からの発車、又は駅への接近に応じて、出力されていた楽曲の再生態様を、発車又は接近に対応した再生態様に変更して再生する。【選択図】図３
2016188959.tif 000002
【特許請求の範囲】
【請求項１】
ユーザの移動路内に存在する少なくとも二つ地点を示す地点情報と、当該各地点を結ぶ地点間路を示す地点間路情報と、を含む移動路情報と、当該移動路に沿った前記ユーザの移動の方向を示す方向情報と、を取得する取得手段と、
前記地点、前記地点間路又は前記方向の少なくともいずれかに予め関連付けられているコンテンツ情報を、前記ユーザの移動に応じて出力する出力手段と、
前記ユーザの前記地点からの離脱、又は当該ユーザの前記地点への接近に応じて、出力されていた前記コンテンツ情報の出力態様を変更して出力するように前記出力手段を制御する出力制御を行う制御手段と、
を備えることを特徴とする出力装置。
【請求項２】
請求項１に記載の出力装置において、
当該出力装置が鉄道車両と共に移動しており、
前記地点が駅であり、
前記地点間路が駅間線路であり、
前記コンテンツ情報が音楽情報であり、
前記制御手段は、
前記ユーザの前記駅への接近に応じて、出力されていた前記音楽情報の音量を下げる前記出力制御と、
当該駅への到着後に、到着前に出力されていた前記音楽情報を、当該駅に関連付けられた他の前記音楽情報に切り換えて出力する前記出力制御と、
を行うことを特徴とする出力装置。
【請求項３】
請求項２に記載の出力装置において、
前記ユーザが前記鉄道車両から降りるべき前記駅である降車駅を示す降車駅情報を取得する降車駅情報取得手段を更に備え、
前記制御手段は、前記取得された降車駅情報により示される前記降車駅への接近に応じて、当該接近前に出力されていた前記音楽情報の音量を制御することを特徴とする出力装置。
【請求項４】
請求項３に記載の出力装置において、
前記降車駅への接近に対応する車内放送が行われるタイミングを検出する降車駅放送検出手段を更に備え、
前記制御手段は、前記検出されたタイミングにおいて、当該タイミングの検出前に出力されていた前記音楽情報の音量を下げる前記出力制御を行うことを特徴とする出力装置。
【請求項５】
請求項１から請求項４のいずれか一項に記載の出力装置において、
時刻を示す時刻情報を取得する時刻情報取得手段と、
前記取得された時刻情報と、前記取得された移動路情報と、に基づいて、前記ユーザの前記地点からの離脱、又は当該ユーザの前記地点への接近を検出する検出手段と、
を更に備えことを特徴とする出力装置。
【請求項６】
請求項１から請求項４のいずれか一項に記載の出力装置において、
前記ユーザと共に移動する移動体から、当該移動体の前記移動に関連する関連情報を取得する関連情報取得手段と、
前記取得された関連情報に基づいて前記ユーザの前記地点からの離脱、又は当該ユーザの前記地点への接近を検出する検出手段と、
を更に備えることを特徴とする出力装置。
【請求項７】
請求項１から請求項４のいずれか一項に記載の出力装置において、
当該出力装置に印加される、前記移動の方向に並行な加速度を示す加速度情報を取得する加速度情報取得手段と、
前記取得された加速度情報と、前記取得された移動路情報と、に基づいて前記ユーザの前記地点からの離脱、又は当該ユーザの前記地点への接近を検出する検出手段と、
を更に備えることを特徴とする出力装置。
【請求項８】
請求項１から請求項７のいずれか一項に記載の出力装置において、
当該出力装置が鉄道車両と共に移動しており、
前記地点が駅であり、
前記地点間路が駅間線路であり、
前記コンテンツ情報が画像情報であり、
前記出力手段が、前記画像情報に相当する画像を表示する表示手段であり、
前記制御手段は、前記駅又は前記駅間線路が属する路線を示す色又は形を用いて、前記駅又は前記駅間線路を示す前記画像を前記表示手段上に表示する前記出力制御を行い、
更に前記制御手段は、前記駅又は前記駅間線路への接近に応じて、当該駅又は当該駅間線路に関連付けられた前記画像の大きさを制御することを特徴とする出力装置。
【請求項９】
ユーザの移動路内に存在する少なくとも二つの地点、当該各地点を結ぶ地点間路、又は当該移動路に沿った前記ユーザの移動の方向、の少なくともいずれかに予め関連付けられているコンテンツ情報を、前記ユーザの移動に応じて出力する出力手段を備える出力装置において実行される出力方法において、
各前記地点を示す地点情報と、前記地点間路を示す地点間路情報と、を含む移動路情報と、前記移動の方向を示す方向情報と、を取得する取得工程と、
前記コンテンツ情報を前記出力手段から出力する場合に、前記ユーザの前記地点からの離脱、又は当該ユーザの前記地点への接近に応じて、出力されていた前記コンテンツ情報の出力態様を変更して出力するように前記出力手段を制御する制御工程と、
を含むことを特徴とする出力方法。
【請求項１０】
ユーザの移動路内に存在する少なくとも二つの地点、当該各地点を結ぶ地点間路、又は当該移動路に沿った前記ユーザの移動の方向、の少なくともいずれかに予め関連付けられているコンテンツ情報を、前記ユーザの移動に応じて出力する出力手段を備える出力装置に含まれるコンピュータを、請求項１から請求項８のいずれか一項に記載の出力装置として機能させることを特徴とする出力装置用プログラム。
【発明の詳細な説明】
【技術分野】
【０００１】
本願は、出力装置、出力方法及び出力装置用プログラムの技術分野に属する。より詳細には、コンテンツ情報を出力する出力装置及び出力方法並びに当該出力装置用のプログラムの技術分野に属する。
【背景技術】
【０００２】
近年、いわゆるスマートフォンや携帯型のオーディオプレーヤが広く普及しており、これに伴って、例えば電車で移動する際に音楽を聴くことも広く一般化している。このような傾向に対応した先行技術として、例えば下記特許文献１に開示されている技術がある。この技術では、移動に関連する位置情報と音楽等の再生コンテンツとを紐付けることで、当該位置情報に対応する場所に応じた当該再生コンテンツを再生する構成とされている。
【先行技術文献】
【特許文献】
【０００３】
【特許文献１】特開２００９−１９２７５０号公報
【発明の概要】
【発明が解決しようとする課題】
【０００４】
しかしながら、下記特許文献１に開示されている技術では、音楽の再生を制御する根拠となる情報が位置情報のみであり、例えば電車の車内アナウンス等が放送されるタイミングについては一切考慮されていない。
【０００５】
このため、例えば電車での移動中における音楽の再生については、駅への到着に伴う車内アナウンスや、駅で放送される構内アナウンス等を聞き逃してしまい、結果として例えば降車すべき駅で降りることができないといった事象が発生する恐れがあるという問題点がある。
【０００６】
そこで本願は、上記の問題点に鑑みて為されたもので、その課題の一例は、例えば音楽を聴きながら移動する者に対して駅への接近等を注意喚起できると共に、再生対象たる音楽自体に対する興味を増大させることも可能な出力装置及び出力方法並びに当該出力装置用のプログラムを提供することにある。
【課題を解決するための手段】
【０００７】
上記の課題を解決するために、請求項１に記載の発明は、ユーザの移動路内に存在する少なくとも二つ地点を示す地点情報と、当該各地点を結ぶ地点間路を示す地点間路情報と、を含む移動路情報と、当該移動路に沿った前記ユーザの移動の方向を示す方向情報と、を取得する取得手段と、前記地点、前記地点間路又は前記方向の少なくともいずれかに予め関連付けられているコンテンツ情報を、前記ユーザの移動に応じて出力する出力手段と、前記ユーザの前記地点からの離脱、又は当該ユーザの前記地点への接近に応じて、出力されていた前記コンテンツ情報の出力態様を変更して出力するように前記出力手段を制御する出力制御を行う制御手段と、を備える。
【０００８】
上記の課題を解決するために、請求項９に記載の発明は、ユーザの移動路内に存在する少なくとも二つの地点、当該各地点を結ぶ地点間路、又は当該移動路に沿った前記ユーザの移動の方向、の少なくともいずれかに予め関連付けられているコンテンツ情報を、前記ユーザの移動に応じて出力する出力手段を備える出力装置において実行される出力方法において、各前記地点を示す地点情報と、前記地点間路を示す地点間路情報と、を含む移動路情報と、前記移動の方向を示す方向情報と、を取得する取得工程と、前記コンテンツ情報を前記出力手段から出力する場合に、前記ユーザの前記地点からの離脱、又は当該ユーザの前記地点への接近に応じて、出力されていた前記コンテンツ情報の出力態様を変更して出力するように前記出力手段を制御する制御工程と、を含む。
【０００９】
上記の課題を解決するために、請求項１０に記載の発明は、ユーザの移動路内に存在する少なくとも二つの地点、当該各地点を結ぶ地点間路、又は当該移動路に沿った前記ユーザの移動の方向、の少なくともいずれかに予め関連付けられているコンテンツ情報を、前記ユーザの移動に応じて出力する出力手段を備える出力装置に含まれるコンピュータを、請求項１から請求項８のいずれか一項に記載の出力装置として機能させる。
【図面の簡単な説明】
【００１０】
【図１】実施形態に係る出力装置の概要構成を示すブロック図である。
【図２】実施例に係る再生システムの概要構成を示すブロック図である。
【図３】実施例に係る再生システムに含まれる再生装置等の概要構成を示すブロック図であり、（ａ）は当該再生システムに含まれるサーバ装置の概要構成を示すブロックであり、（ｂ）は当該再生装置の概要構成を示すブロック図である。
【図４】実施例に係る路線データベースの内容を例示する図である。
【図５】実施例に係る関連付けテーブルの内容を例示する図である。
【図６】実施例に係る再生処理を示すフローチャートである。
【図７】実施例に係る音楽の再生態様を例示する図である。
【図８】実施例に係る画像の表示態様を例示する図であり、（ａ）は駅における画像の表示態様を例示する図であり、（ｂ）は駅間移動中における画像の表示態様を例示する図である。
【図９】第１変形例に係る再生装置の概要構成を示すブロック図である。
【発明を実施するための形態】
【００１１】
次に、本願を実施するための形態について、図１を用いて説明する。なお図１は、実施形態に係る出力装置の概要構成を示すブロック図である。
【００１２】
図１に示すように、実施形態に係る出力装置Ｓは、取得手段１と、出力手段２と、制御手段３と、を備えて構成されている。
【００１３】
この構成において取得手段１は、ユーザの移動路内に存在する少なくとも二つ地点を示す地点情報と、当該各地点を結ぶ地点間路を示す地点間路情報と、を含む移動路情報と、当該移動路に沿った前記ユーザの移動の方向を示す方向情報と、を取得する。
【００１４】
そして出力手段２は、上記地点、上記地点間路又は上記方向の少なくともいずれかに予め関連付けられているコンテンツ情報を、上記ユーザの移動に応じて出力する。
【００１５】
このとき制御手段３は、上記ユーザの上記地点からの離脱、又は当該ユーザの上記地点への接近に応じて、出力されていたコンテンツ情報の出力態様を変更して出力するように出力手段２を制御する。
【００１６】
以上説明したように、実施形態に係る出力装置Ｓの動作によれば、移動路情報及び方向情報を取得し、地点、移動路又は移動方向の少なくともいずれかに関連付けられているコンテンツ情報をユーザの移動に応じて出力する。そして、地点からの離脱又は地点への接近に応じて、出力されていたコンテンツ情報の出力態様を変更して出力するように制御する。よって、地点等に関連付けられたコンテンツ情報をユーザの移動に応じて出力する場合に、地点に対する離脱又は接近に伴ってその出力態様が変更されるので、使用者に対して当該離脱又は接近を注意喚起できると共に、コンテンツ情報自体に対する興味も増大させ得る。
【実施例】
【００１７】
次に、上述した実施形態に対応する具体的な実施例について、図２乃至図８を用いて説明する。なお以下に説明する実施例は、使用者に携帯されて移動する再生装置における音楽の再生態様の制御に対して、実施形態を適用した場合の実施例である。このとき当該音楽は、例えばインターネット等のネットワークを介して当該再生装置に配信される音楽である。また当該再生装置の具体例としては、例えばスマートフォンや音楽プレーヤ等が該当する。また実施例に係る再生装置は、同様の構成を有する複数の再生装置が、上記音楽の配信元たるサーバ装置に上記ネットワークを介して接続可能とされている。
【００１８】
更に、図２は実施例に係る再生システムの概要構成を示すブロック図であり、図３は当該再生システムに含まれる再生装置等の概要構成を示すブロック図であり、図４は実施例に係る路線データベースの内容を例示する図である。更にまた、図５は実施例に係る関連付けテーブルの内容を例示する図であり、図６は実施例に係る再生処理を示すフローチャートであり、図７は実施例に係る音楽の再生態様を例示する図であり、図８は実施例に係る画像の表示態様を例示する図である。このとき図３では、図１に示した実施形態に係る出力装置Ｓにおける各構成部材に対応する実施例の構成部材それぞれについて、当該出力装置Ｓにおける各構成部材と同一の部材番号を用いている。
【００１９】
図２に示すように、相互に同様の構成を備える実施例に係る再生装置ＳＴ１、再生装置ＳＴ２、…、再生装置ＳＴｎ（ｎは自然数）は、上記ネットワークＮＷを介してサーバ装置ＳＶに接続されており、当該サーバ装置ＳＶとの間で様々なデータの授受が可能とされている。このとき、上記再生装置ＳＴ１乃至再生装置ＳＴｎと、ネットワークＮＷと、サーバ装置ＳＶと、により、実施例に係る再生システムＳＳが構成されている。なお以下の説明において、再生装置ＳＴ１乃至再生装置ＳＴｎに共通の事項を説明する場合、これらを纏めて単に「再生装置ＳＴ」と称する。
【００２０】
そして図３（ａ）に示すように、実施例に係るサーバ装置ＳＶは、インターフェース２０と、ＣＰＵ、ＲＡＭ（Random Access Memory）及びＲＯＭ（Read Only Memory）等からなる処理部２１と、ＨＤＤ（Hard Disc Drive）又はＳＳＤ（Solid State Drive）等からなる記録部２２と、キーボード又はマウス等からなる操作部２３と、液晶ディスプレイ等からなるディスプレイ２４と、により構成されている。
【００２１】
このとき記録部２２には、それぞれが実施例に係る関連付けテーブルＴ、路線データベースＲＤＢ、時刻表データベースＴＤＢ、楽曲データベースＭＤＢ及び楽曲関連データベースＶＤＢが不揮発性に記録されている。
【００２２】
ここで上記路線データベースＲＤＢは、例えば国土交通省発行の「国土数値情報」内の鉄道データ等に対応した路線データが記録されているデータベースであり、より具体的には図４に例示するように、各鉄道路線の線路の形状及び位置並びに駅の位置等が、その上り／下りを別データとして記録されている。このとき図４では、新宿駅を中心とした範囲につき、各線路の形状及び位置が細い実線で、当該線路に沿った各駅（当該各駅の駅名を、図４中（  ）で示す）のホームの位置及び形状が太い実線で、それぞれ示されている。このような路線データベースＲＤＢとしては、これら線路の位置及び形状を示す例えば緯度／経度データ、並びに各駅のホームの位置及び形状を示す例えば緯度／経度データが、それぞれの路線名を示す路線名データ及び駅名を示す駅名データに関連付けられて記述されている。
【００２３】
一方上記時刻表データベースＴＤＢは、各路線を走行する電車又はディーゼル車等を識別するための電車識別データと、その電車又はディーゼル車等が駅に到着する時刻及び当該駅から出発する時刻それぞれを示す時刻データと、が関連付けられて記録されているデータベースである。なお以下の説明において、上記電車又はディーゼル車等を、単に「電車等」と称する。
【００２４】
次に上記楽曲データベースＭＤＢには、各再生装置ＳＴに送信して当該再生装置ＳＴにおいて再生させるための楽曲に相当する楽曲データが、当該各楽曲を識別する楽曲識別データに関連付けられて記録されている。
【００２５】
更に上記楽曲関連データベースＶＤＢには、上記楽曲データベースＭＤＢにそれぞれの楽曲データが記録されている各楽曲について、当該楽曲に関連する画像に相当する画像データが、上記楽曲識別データに関連付けられて記録されている。この場合の楽曲に関連する画像とは、例えば、当該楽曲が発売される際に用いられたジャケットの画像や、当該画像に関連が深い場所の遠望等の画像が挙げられる。また各画像データは、画像識別データにより相互に識別可能とされている。
【００２６】
最後に上記関連付けテーブルＴには、図５に例示するように、上記楽曲識別データと、上記駅名データと、上記画像識別データと、上記路線データベースＲＤＢに記録されている路線名データと、当該路線名データにより示させる路線における上り又は下りを示す方向データと、が相互に関連付けて記述されている。このとき、後述する実施例に係る再生処理においては、上記駅名データに関連付けられている上記楽曲識別データにより識別される楽曲データに相当する楽曲は、電車等の移動に伴って、関連付けテーブルＴにおいて当該楽曲識別データが関連付けられている上記駅名データにより示される駅に上記再生装置ＳＴが到着しているときに当該再生装置ＳＴにおいて再生されるべき楽曲である。また同様に、上記駅名データに関連付けられている上記画像識別データにより識別される画像は、関連付けテーブルＴにおいて当該画像識別データに関連付けられている上記駅名データにより示される駅に上記再生装置ＳＴが到着しているときに当該再生装置ＳＴにおいて表示されるべき画像である。より具体的に図５に例示する場合は、例えば「Ａ」なる駅名データにより識別される駅に電車等が到着した場合、当該電車等に乗車している使用者が携帯している再生装置ＳＴでは、「１」なる楽曲識別データにより識別される楽曲が再生されると共に、「Ｉ」なる画像識別データにより識別される画像が表示されることが記述されている。
【００２７】
なお以下の説明においては、説明の簡略化のため、例えば「Ａ」なる駅名データにより識別される駅は「駅Ａ」と称し、例えば「１」なる楽曲識別データにより識別される楽曲は「曲１」と称し、例えば「Ｉ」なる画像識別データにより識別される画像は「画像Ｉ」と称する。
【００２８】
他方図５に例示する関連付けテーブルＴにおいて、駅名データに関連付けられていない楽曲及び画像については、例えば曲２の再生及び画像IIの表示は、駅Ａと駅Ｂとの間で行われることを意味している。これと同様に、例えば曲６の再生及び画像VIの表示は、駅Ｃとその次の駅との間で行われることを意味している。
【００２９】
ここで図５に例示する実施例に係る関連付けテーブルＴでは、一つの路線について、その上りと下りで異なる楽曲の再生及び画像の表示が行われるように記述されている。より具体的には、例えば駅Ｂについて言えば、上り方面の電車等と共に移動する再生装置ＳＴでは駅Ｂにおいて曲３の再生及び画像IIIの表示が行われるが、下り方面の電車等と共に移動する再生装置ＳＴでは駅Ｂにおいて曲１３の再生及び画像XIIIの表示が行われる。また同様に、駅Ｂと駅Ｃとの間について言えば、上り方面の電車等と共に移動する再生装置ＳＴでは駅Ｂと駅Ｃとの間で曲４の再生及び画像IVの表示が行われるが、下り方面の電車等と共に移動する再生装置ＳＴでは駅Ｂと駅Ｃとの間で曲１４の再生及び画像XIVの表示が行われる。
【００３０】
なお、上記関連付けテーブルＴを用いた実施例に係る再生処理については、後ほど詳述する。
【００３１】
次にインターフェース２０は、処理部２１の制御の下、上記ネットワークＮＷを介した各再生装置ＳＴとの間における、例えば上記記録部２２に記録されている各データ等の授受を制御する。そして操作部２３は、実施例に係る再生処理をサーバ装置ＳＶに行わせるための操作等が当該操作部２３において行われた場合、当該操作等に対応する操作信号を生成して処理部２１に出力する。
【００３２】
これらにより処理部２１は、操作部２３からの上記操作信号に基づくと共に、インターフェース２０を介していずれかの再生装置ＳＴとの間で記録部２２に記録されているデータの授受を行いつつ、実施例に係る再生処理におけるサーバ装置ＳＶとしての動作を統括制御する。なお、当該動作においてサーバ装置ＳＶの使用者（例えば、実施例に係る再生システムＳＳの管理者等）に提示すべき情報等は、例えばディスプレイ２４に表示されて当該提示に供される。
【００３３】
次に図３（ｂ）に示すように、実施例に係る各再生装置ＳＴは相互に同様の構成を備えており、具体的には、ＣＰＵ、ＲＡＭ及びＲＯＭ等からなる処理部１０と、ＨＤＤ又はＳＳＤ等からなる記録部１１と、インターフェース１２と、センサ１３と、操作ボタン及びタッチパネル等からなる操作部１４と、実施形態に係る出力手段２の一例に相当するスピーカ２１と、同じく出力手段２の一例に相当し且つ液晶ディスプレイ等からなるディスプレイ２２と、により構成されている。
【００３４】
また処理部１０は、実施例に係る取得手段１の一例に相当する内部インターフェース１と、実施例に係る出力手段２の一例に相当し且つ上記スピーカ２１を駆動して放音させる再生制御部３１と、実施例に係る出力手段２の一例に相当し且つ上記ディスプレイ２２に必要な画像を表示させる表示制御部３２と、により構成されている。このとき内部インターフェース１０、再生制御部３１及び表示制御部３２については、処理部１０を構成するＣＰＵ等のハードウェアロジック回路により実現されていてもよいし、後述する実施例に係る再生処理に対応するプログラムを上記ＣＰＵ等が読み出して実行することにより、ソフトウェア的に実現されるものであっても良い。この場合のプログラムは、記録部１１に予め記録されているものを上記ＣＰＵ等により読み出してもよいし、上記ネットワークＭＷを介して取得したものを上記ＣＰＵ等により実行させてもよい。更に図３（ｂ）に破線で示すように、内部インターフェース１、スピーカ２１、ディスプレイ２２、再生制御部３１及び表示制御部３２により、実施形態に係る出力装置Ｓに相当する実施例を構成している。また上記センサ１３が、本願に係る「時刻情報取得手段」の一例、「検出手段」の一例、「関連情報取得手段」の一例、「加速度情報取得手段」の一例、「降車駅情報取得手段」の一例及び「降車駅放送検出手段」の一例にそれぞれ相当する。
【００３５】
この構成においてインターフェース１２は、処理部１０の制御の下、上記ネットワークＮＷを介したサーバ装置ＳＶとの間における各データ等の授受を制御する。そして操作部１４は、実施例に係る再生処理を端末装置ＳＴに行わせるための操作等が当該操作部１４において行われた場合、当該操作等に対応する操作信号を生成して処理部１０に出力する。
【００３６】
またセンサ１３は、例えばいわゆるＧＰＳ（Global Positioning System）航法衛星からの航法電波を受信することにより再生装置ＳＴの現在位置を検出し、当該現在位置を示す現在位置データを処理部１０に出力する。これに加えてセンサ１３は、再生装置ＳＴを携帯する使用者が乗車する電車等や当該使用者が乗降する駅構内に備えられている図示しない送信装置が送信している識別データを受信することにより、当該使用者が乗車している電車等や駅を示す移動位置データを生成して処理部１０に出力する。
【００３７】
これらにより処理部１０は、内部インターフェース１を介して上記現在位置データ及び移動位置データを受信し、再生装置ＳＴを携帯する使用者の現在位置を特定すると共に、乗車している電車等又は駅を識別する。その後処理部１０は、特定した現在位置を示す現在位置データ及び識別した電車等又は駅を示す移動位置データ、並びに再生装置ＳＴが電車等と共に移動中である場合における後述の方向データを、その再生装置ＳＴ自体を識別するための装置識別データと共に、内部インターフェース１及びインターフェース１２を介してサーバ装置ＳＶに送信する。この場合の位置データのサーバ装置ＳＶへの送信は、当該位置データにより示される現在位置或いは電車等又は駅において再生される楽曲を問い合わせる曲問合せ処理に相当する。その後サーバ装置ＳＶから、上記問合せ処理に対応した後述する実施例に係る再生処理により、使用者の現在位置近辺において再生すべき楽曲に相当する楽曲データ及び当該現在位置において表示すべき画像に相当する画像データが送信されてきたら、処理部１０は、当該楽曲データ及び画像データをインターフェース１２及び内部インターフェース１を介して受信し、これらを一時的に記録部１１に不揮発性に記録する。
【００３８】
そして処理部１０の再生制御部３１は、実施例に係る再生処理として、当該記録した楽曲データを記録部１１から読み出し、スピーカ２１を介して当該読み出した楽曲データに相当する楽曲を放音する。更に処理部１０の表示制御部３２は、実施例に係る再生処理として、上記記録した画像データを記録部１１から読み出し、ディスプレイ２２を介して当該読み出した画像データに相当する画像を表示する。
【００３９】
なお記録部１１には、例えば再生装置ＳＴにおいてその使用者を案内する案内処理のための地図データや、当該案内用のいわゆるマップマッチング処理を行うためのプログラム等が、不揮発性に記録されている。この地図データには、上記路線データベースＲＤＢに記録されている路線名データ等に対応した路線データ等も含まれている。これらを用いて処理部１０は、実施例に係る再生処理の他、必要な上記案内処理等を実行する。
【００４０】
次に、端末装置ＳＴの処理部１０を中心とした実施例に係る再生処理について、具体的に図３乃至図８を用いて説明する。なお図６に示すフローチャートは、実施例に係る再生装置ＳＴにおいて実行される、実施例に係る再生処理を示すフローチャートである。
【００４１】
対応するフローチャートを図６に示すように、実施例に係る再生処理は、例えば再生装置ＳＴの操作部１４において当該再生処理を開始する旨の操作が実行された場合等に開始される。そして実施例に係る再生処理が開始されると、先ず再生装置ＳＴの処理部１０は、センサ１３からの上記現在位置データ及び移動位置データを用いて、当該再生装置ＳＴの位置を上記地図データ上において特定するマップマッチング処理を行う（ステップＳ１）。このマップマッチング処理により、再生装置ＳＴの現在位置、及び当該現在位置に相当する路線上の位置又は駅の位置が特定される。より具体的には、再生装置ＳＴが電車等と共に移動している場合、ステップＳ１のマップマッチング処理では、その現在位置に相当する路線上の位置が特定される。一方再生装置ＳＴが移動していない（即ち、再生装置ＳＴを携帯する使用者が駅にいる）場合、ステップＳ１のマップマッチング処理では、その現在位置に相当する駅の位置が特定される。
【００４２】
次に処理部１０は、ステップＳ１の特定結果に基づき、再生装置ＳＴを携帯する使用者が、電車等に乗って駅と次の駅との間の線路上を走行中であるか否かを判定する（ステップＳ２）。なお以下の説明において、駅と次の駅との間を単に「駅間」と称する。ステップＳ２の判定において、再生装置ＳＴを携帯する使用者が電車等に乗って駅間を走行中（即ち移動中）であると判定された場合（ステップＳ２；ＹＥＳ）、処理部１０は次に、当該電車等の移動方向、即ち、その電車等がその路線上を上り方向に移動しているか下り方向に移動しているか、を、上記ステップＳ２の判定結果に基づいて更に判定する（ステップＳ３）。その後処理部１０は、ステップＳ１により特定された再生装置ＳＴの現在位置及び路線上の位置又は駅の位置に基づき、当該現在位置等に関連付けられている楽曲についての上記曲問合せ処理を行う（ステップＳ４）。このとき処理部１０は、上記ステップＳ１により特定された現在位置及び電車等をそれぞれ示す現在位置データ及び移動位置データ、及び上記ステップＳ３により判定された移動方向を示す方向データを、上記装置識別データと共にサーバ装置ＳＶに送信する。
【００４３】
そして、上記現在位置データ及び移動位置データ、方向データ並びに装置識別データを受信したサーバ装置ＳＶの処理部２１は、関連付けテーブルＴを参照し、当該移動位置データに対応する路線名データ及び当該方向データに関連付けられている楽曲識別データ及び画像識別データを特定する。ここで以下の説明において、楽曲識別データ及び画像識別データをいう場合、単に「楽曲識別データ等」と称する。そして現在、再生装置ＳＴを携帯する使用者は駅間を走行中の電車等に乗車しているので（上記ステップＳ２；ＹＥＳ参照）、処理部２１は、駅名データに関連付けられている楽曲識別データ等以外の他の楽曲識別データ等を特定する。より具体的に例えば、再生装置ＳＴを携帯する使用者が駅Ａと駅Ｂとの間を走行中の電車等に乗車している場合（ステップＳ２；ＹＥＳ、ステップＳ３参照）、処理部２１は、図５に例示する関連付けテーブルＴにおける曲２を示す楽曲識別データ及び画像IIを示す画像識別データを特定する。
【００４４】
その後処理部２１は、特定した楽曲識別データ等により識別される楽曲及び画像それぞれに相当する楽曲データ及び画像データを、楽曲データベースＭＤＢ及び楽曲関連データベースＶＤＢからそれぞれ取得する。そして処理部２１は、当該取得した楽曲データ及び画像データを、上記装置識別データを送信してきた再生装置ＳＴに宛ててインターフェース２０及びネットワークＮＷを介して送信する。
【００４５】
一方、上記ステップＳ４を実行した再生装置ＳＴの処理部１０は次に、当該ステップＳ４により送信した現在位置データ及び移動位置データ並びに方向データに対応してサーバ装置ＳＶから送信された上記楽曲データ及び上記画像データを、インターフェース１２を介してそれぞれ取得し、例えば記録部１１に一時的に記録する（ステップＳ５及びステップＳ６）。その後処理部１０は、取得した楽曲データ及び画像データを用いて、実施例に係る駅間曲再生及び画像表示を行う（ステップＳ７）。即ち駅間を移動中の再生装置ＳＴにおいて、上記ステップＳ５により取得した楽曲データを用いて処理部１０の再生制御部３１が当該楽曲データに相当する楽曲を再生して放音すると共に、上記ステップＳ６により取得した画像データを用いて処理部１０の表示制御部３２が当該画像データに相当する画像を表示する（ステップＳ７）。このとき再生制御部３１は、例えば操作部１４における操作により指定された再生音量で楽曲データを再生する。また表示制御部３２による画像の表示態様は、後ほど纏めて説明する。
【００４６】
一方処理部１０は、上記ステップＳ７に係る再生中において、センサ１３から出力される上記現在位置データ又は上記移動位置データに基づき、再生装置ＳＴの使用者が乗車している電車等（駅間を移動中（ステップＳ２；ＹＥＳ参照））が次の駅に接近したか否かを判定する（ステップＳ８）。このとき処理部１０は、例えば当該次の駅の手前５０メートルの位置に当該電車が到達したか否かをもって、当該次の駅に接近したか否かを判定する。ステップＳ８の判定において次の駅に接近していない場合（ステップＳ８；ＮＯ）、処理部１０の再生制御部３１及び表示制御部３２はそれぞれ、上記ステップＳ７に戻ってそれまでの楽曲の再生及び画像の表示を継続する。一方、ステップＳ８の判定において次の駅に接近した場合（ステップＳ８；ＹＥＳ）、処理部１０の再生制御部３１及び表示制御部３２はそれぞれ、当該接近に伴う再生処理を開始する（ステップＳ９）。より具体的に再生制御部３１は、当該次の駅に到着するタイミングで現在再生している楽曲の再生音量がゼロとなるように、当該再生音量を漸次低減する。また表示制御部３２によるステップＳ９としての再生処理は、後ほど纏めて説明する。
【００４７】
その後処理部１０は、例えば再生装置ＳＴの図示しない電源スイッチがオフとされる等により、実施例に係る再生処理を終了するか否かを判定する（ステップＳ１０）。ステップＳ１０の判定において当該再生処理を終了する場合（ステップＳ１０；ＹＥＳ）、処理部１０はそのまま実施例に係る再生処理を終了する。一方ステップＳ１０の判定において、実施例に係る再生処理を継続する場合（ステップＳ１０；ＮＯ）、処理部１０は、当該接近した（ステップＳ８；ＹＥＳ参照）駅において再生されるべき楽曲に相当する楽曲データ及び当該駅において表示されるべき画像に相当する画像データをそれぞれ取得して再生又は表示するべく、再生装置ＳＴの現在位置について上記ステップＳ１と同様のマップマッチング処理を行う（ステップＳ１１）。このマップマッチング処理により、上記ステップＳ１と同様に、再生装置ＳＴの現在位置、及び再生装置ＳＴの使用者が乗車している電車等が接近している（ステップＳ８；ＹＥＳ参照）駅の位置が特定される。
【００４８】
次に処理部１０は、ステップＳ１１の特定結果に基づき、再生装置ＳＴを携帯する使用者が乗車する電車等の移動方向を、上記ステップＳ３と同様に判定する（ステップＳ１２）。その後処理部１０は、ステップＳ１１により特定された再生装置ＳＴの現在位置及び次の駅の位置と、ステップＳ１２により判定された移動方向（即ち、当該次の駅への接近方向）に基づき、当該次の駅に関連付けられている楽曲についての上記曲問合せ処理を行う（ステップＳ１３）。このとき処理部１０は、上記ステップＳ１１により特定された現在位置及び電車等をそれぞれ示す現在位置データ及び移動位置データ、並びに上記ステップＳ１２により判定された移動方向を示す方向データを、上記装置識別データと共にサーバ装置ＳＶに送信する。
【００４９】
そして、上記現在位置データ及び移動位置データ、方向データ並びに装置識別データを受信したサーバ装置ＳＶの処理部２１は、関連付けテーブルＴを参照し、当該位置データに対応する路線名データ及び当該方向データに関連付けられている楽曲識別データ等を特定する。そして現在、再生装置ＳＴを携帯する使用者は次の駅に到着しつつある電車等に乗車しているので（上記ステップＳ８；ＹＥＳ参照）、処理部２１は、当該次の駅の駅名データに関連付けられている楽曲識別データ等を特定する。より具体的に例えば、再生装置ＳＴを携帯する使用者が上り方向に駅Ｃに接近しつつある電車等に乗車している場合（ステップＳ８；ＹＥＳ、ステップＳ１２参照）、処理部２１は、図５に例示する関連付けテーブルＴにおける曲５を示す楽曲識別データ及び画像Ｖを示す画像識別データを特定する。
【００５０】
その後処理部２１は、特定した楽曲識別データ等により識別される楽曲及び画像それぞれに相当する楽曲データ及び画像データを、楽曲データベースＭＤＢ及び楽曲関連データベースＶＤＢからそれぞれ取得する。そして処理部２１は、当該取得した楽曲データ及び画像データを、上記装置識別データを送信してきた再生装置ＳＴに宛ててインターフェース２０及びネットワークＮＷを介して送信する。
【００５１】
一方、上記ステップＳ１３を実行した再生装置ＳＴの処理部１０は次に、当該ステップＳ１３により送信した現在位置データ及び移動位置データ並びに方向データに対応してサーバ装置ＳＶから送信された上記楽曲データ及び上記画像データを、インターフェース１２を介してそれぞれ取得し、例えば記録部１１に一時的に記録する（ステップＳ１４及びステップＳ１５）。その後処理部１０は、取得した楽曲データ及び画像データを用いて、実施例に係る駅内曲再生及び画像表示を行う（ステップＳ１６）。即ち次の駅に接近中の再生装置ＳＴにおいて、上記ステップＳ１４により取得した楽曲データを用いて再生制御部３１が当該楽曲データに相当する楽曲の再生及び放音を開始すると共に、上記ステップＳ１５により取得した画像データを用いて表示制御部３２が当該画像データに相当する画像の表示を開始する（ステップＳ１６）。このとき再生制御部３１は、上記ステップＳ９の接近時再生処理の開始と同じタイミングで次の駅に関連付けられている楽曲の再生を開始してその再生音量を漸次増大させる。また表示制御部３２によるステップＳ１６としての画像の表示態様は、後ほど纏めて説明する。なおこのステップＳ１６の再生／表示中において、再生装置ＳＴを携帯する使用者が乗車する電車等が当該次の駅に到着した後も、ステップＳ１６に係る当該次の駅に関連付けられた楽曲の再生及び画像の表示は継続される。
【００５２】
一方処理部１０は、当該次の駅に到着後の上記ステップＳ１６に係る再生中において、センサ１３から出力される上記現在位置データ又は移動位置データ等に基づき、再生装置ＳＴの使用者が乗車している電車等が当該次の駅から離脱したか否か（即ち発車したか否か）を判定する（ステップＳ１７）。このとき処理部１０は、センサ１３から出力される上記現在位置データ又は移動位置データに基づき、停車していた当該電車等が動き始めたか否かを判定することにより、当該次の駅から発車したか否かを判定する。ステップＳ１７の判定においていまだ次の駅に停車している場合（ステップＳ１７；ＮＯ）、再生制御部３１及び表示制御部３２はそれぞれ、上記ステップＳ１６に戻ってそれまでの楽曲の再生及び画像の表示を継続する。一方、ステップＳ１７の判定において次の駅から発車した場合（ステップＳ１７；ＹＥＳ）、再生制御部３１及び表示制御部３２はそれぞれ、当該発車に伴う再生処理を開始する（ステップＳ１８）。より具体的に再生制御部３１は、当該次の駅から発車するタイミングから現在再生している楽曲の再生音量を漸次低減して最終的にゼロとする。また表示制御部３２によるステップＳ１８としての再生処理は、後ほど纏めて説明する。
【００５３】
その後処理部１０は、例えば上記電源スイッチがオフとされる等により、実施例に係る再生処理を終了するか否かを判定する（ステップＳ１９）。ステップＳ１９の判定において当該再生処理を終了する場合（ステップＳ１９；ＹＥＳ）、処理部１０はそのまま実施例に係る再生処理を終了する。一方ステップＳ１９の判定において、実施例に係る再生処理を継続する場合（ステップＳ１９；ＮＯ）、処理部１０は、当該次の駅を発車後の駅間において再生されるべき楽曲に相当する楽曲データ及び当該駅間において表示されるべき画像に相当する画像データのそれぞれを取得して再生又は表示するべく、再生装置ＳＴの現在位置について上記ステップＳ１と同様のマップマッチング処理を行う（ステップＳ２０）。その後、当該次の駅の発車後の駅間を移動する電車等と共に移動する再生装置ＳＴとして、上記ステップＳ３乃至ステップＳ１２の処理を繰り返す。
【００５４】
以上のステップＳ３乃至ステップＳ２０の処理により、駅間を移動して上記次の駅に到着する電車等に乗車する使用者が携帯する再生装置ＳＴにおいて、当該次の駅に到着する前の駅間に関連付けられている楽曲及び画像、並びに、当該次の駅に関連付けられた楽曲及び画像のそれぞれを用いたいわゆるクロスフェード処理が実行される。また同様に、上記次の駅から発車する場合には、当該次の駅に関連付けられた楽曲及び画像、並びに当該次の駅を発車後の駅間に関連付けられている楽曲及び画像のそれぞれを用いたクロスフェード処理も実行される。これらのクロスフェード処理については、後ほど纏めて説明する。
【００５５】
他方、上記ステップＳ２の判定において、再生装置ＳＴを携帯する使用者が電車等に乗って駅間を走行中でない、即ちその電車等がいずれかの駅に停車中であると判定された場合（ステップＳ２；ＮＯ）、処理部１０は次に、当該停車中の駅についての上記ステップＳ１３乃至ステップＳ２０を実行する。即ち処理部１０は先ず、上記ステップＳ１により特定された再生装置ＳＴの現在位置及び駅の位置に基づき、当該停車中の駅に関連付けられている楽曲についての上記曲問合せ処理を行う（ステップＳ１３）。
【００５６】
そして、上記現在位置データ及び移動位置データ、方向データ並びに装置識別データを受信したサーバ装置ＳＶの処理部２１は、関連付けテーブルＴを参照し、当該移動位置データに対応する路線名データ及び当該方向データに関連付けられている楽曲識別データ等を特定する。そして現在、再生装置ＳＴを携帯する使用者は上記駅に到着しているので（上記ステップＳ２；ＮＯ参照）、処理部２１は、当該駅の駅名データに関連付けられている楽曲識別データ等を特定する。より具体的に例えば、再生装置ＳＴを携帯する使用者が上り方向で駅Ｂに到着している場合（上記ステップＳ２；ＮＯ参照）、処理部２１は、図５に例示する関連付けテーブルＴにおける曲３を示す楽曲識別データ及び画像IIIを示す画像識別データを特定する。
【００５７】
その後処理部２１は、特定した楽曲識別データ等により識別される楽曲及び画像それぞれに相当する楽曲データ及び画像データを、楽曲データベースＭＤＢ及び楽曲関連データベースＶＤＢからそれぞれ取得する。そして処理部２１は、当該取得した楽曲データ及び画像データを、上記装置識別データを送信してきた再生装置ＳＴに宛ててインターフェース２０及びネットワークＮＷを介して送信する。
【００５８】
一方、上記ステップＳ１３を実行した再生装置ＳＴの処理部１０は次に、当該ステップＳ１３により送信した位置データ及び方向データに対応してサーバ装置ＳＶから送信された上記楽曲データ及び上記画像データを、インターフェース１２を介してそれぞれ取得し、例えば記録部１１に一時的に記録する（ステップＳ１４及びステップＳ１５）。その後処理部１０は、取得した楽曲データ及び画像データを用いて、実施例に係る駅内曲再生及び画像表示を行う（ステップＳ１６）。即ち当該駅に到着している再生装置ＳＴにおいて、上記ステップＳ１４により取得した楽曲データを用いて再生制御部３１が当該楽曲データに相当する楽曲の再生及び放音を行う（ステップＳ１６）と共に、上記ステップＳ１５により取得した画像データを用いて表示制御部３２が当該画像データに相当する画像の表示を行う（ステップＳ１６）。このとき再生制御部３１は、例えば操作部１４における操作により指定された再生音量で楽曲データを再生する。また表示制御部３２による画像の表示態様は、後ほど纏めて説明する。
【００５９】
次に処理部１０は、上記ステップＳ１６に係る再生中において、センサ１３から出力される上記現在位置データ又は移動位置データ等に基づき、再生装置ＳＴの使用者が乗車している電車等が当該駅から発車したか否かを判定する（ステップＳ１７）。ステップＳ１７の判定においていまだ次の駅に停車している場合（ステップＳ１７；ＮＯ）、再生制御部３１及び表示制御部３２はそれぞれ、上記ステップＳ１６に戻ってそれまでの楽曲の再生及び画像の表示を継続する。一方、ステップＳ１７の判定において当該駅から発車した場合（ステップＳ１７；ＹＥＳ）、再生制御部３１及び表示制御部３２はそれぞれ、当該発車に伴う再生処理を開始する（ステップＳ１８）。より具体的に再生制御部３１は、当該駅から発車するタイミングから現在再生している楽曲の再生音量を漸次低減して最終的にゼロとする。また表示制御部３２によるステップＳ１８としての再生処理は、後ほど纏めて説明する。
【００６０】
その後処理部１０は、上記ステップＳ１９及びステップＳ２０の処理をそれぞれ行い、当該発車後の駅間を移動する電車等と共に移動する再生装置ＳＴとして、上記ステップＳ３乃至ステップＳ１２の処理を繰り返す。
【００６１】
以上のステップＳ１３乃至ステップＳ２０の処理により、到着している駅から発車する電車等に乗車する使用者が携帯する再生装置ＳＴにおいて、当該到着している駅に関連付けられた楽曲及び画像、並びに当該駅を発車後の駅間に関連付けられている楽曲及び画像、のそれぞれを用いたクロスフェード処理が実行される。これらのクロスフェード処理についても、後ほど纏めて説明する。
【００６２】
次に、図６のフローチャートにより示される実施例に係る再生処理が実行された場合の楽曲の再生態様の一例、及びそれに対応する画像の再生態様の一例について、それぞれ図７及び図８を用いて説明する。
【００６３】
先ず、実施例に係る再生処理が実行された場合の楽曲の再生態様について、図７を用いて説明する。
【００６４】
例えば図５に例示する関連付けテーブルＴがサーバＳＶに記録されている場合において、駅Ｂと駅Ｃがある路線を上り方向に移動する電車等に再生装置ＳＴを携帯する使用者が乗車している場合に、再生装置ＳＴにおいて実施例に係る再生処理が実行されると、先ず駅Ｂに到着する前の段階では曲２が、使用者により指定された再生音量で再生されている（図６ステップＳ１乃至ステップＳ７並びに図７実線及び符号「（曲２）」参照）。そして、当該電車等が駅Ｂの手前例えば５０メートルに到達したタイミングｔ１において（図６ステップＳ８；ＹＥＳ及び図７符号「ｔ１」参照）、曲２の再生音量の低減が開始されると共に、駅Ｂに関連付けられている曲３の再生が開始される（図６ステップＳ８乃至ステップＳ１６並びに図７破線及び符号「（曲３）」参照）。この曲３については、その再生音量がタイミングｔ１から漸次増大され、駅Ｂに到着したタイミングｔ２で使用者により指定された再生音量に達し、その後当該再生音量による再生が、駅Ｂでの停車中に継続される。その後、駅Ｂからの発車が検出されたタイミングｔ３から曲３の再生音量の低減が開始される（図６ステップＳ１７及びステップＳ１８）。
【００６５】
次に、駅Ｂを発車したタイミングｔ３からは、駅Ｂと駅Ｃとの駅間に関連付けられている曲４の再生音量の漸増が開始され（図６ステップＳ２０を経たステップＳ３乃至ステップ７並びに図７符号「（曲４）」参照）、その後当該駅間としての曲４の再生が、次の駅Ｃの例えば手前５０メートルに到達するタイミングｔ４まで継続される（図７点線参照）。これ以降は、駅Ｃに関連付けられている曲５の再生処理及び駅Ｃを発車後の駅間に関連付けられている曲６の再生処理が、図７に例示するように繰り返される。
【００６６】
一方、再生装置ＳＴにおける実施例に係る画像の表示態様として、例えば山手線の新宿駅に到着している状態においては、例えば図８（ａ）に例示する画像が再生装置ＳＴのディスプレイ２２に表示されている（上記ステップＳ１６参照）。この図８（ａ）に例示する場合、それに対応する関連付けテーブルＴにおいては、歌手「甲甲」の楽曲「あうお」が山手線で一つ手前の新大久保駅に関連付けられており、歌手「丙丙」の楽曲「Let’s Gogo」が新宿駅に関連付けられており、更に歌手「乙乙」の楽曲「ＡＣＥ」が代々木駅に関連付けられている。またこれに伴い、当該関連付けテーブルＴにおいては、新大久保駅には楽曲「あうお」を示す楽曲歌手表示１０１及び楽曲画像１００が関連付けられており、新宿駅には楽曲「Let’s Gogo」を示す楽曲歌手表示１０３及び楽曲画像１０２が関連付けられており、代々木駅には楽曲「ＡＣＥ」を示す楽曲歌手表示１０５及び楽曲画像１０４が関連付けられている。なお、図８に例示する場合に対応する関連付けテーブルＴでは、図５に例示する関連付けテーブルＴの場合と異なり、駅間には画像及び楽曲が関連付けられていないものとする。
【００６７】
そして、新宿駅に停車中の電車等に再生装置ＳＴを携帯する使用者が乗車している場合（図６ステップＳ１及びステップＳ２並びにステップＳ１３乃至ステップＳ１５参照）、楽曲としては再生制御部３１により上記楽曲「Let’s Gogo」が再生されている（図６ステップＳ１６参照）。そしてこの場合のディスプレイ２２には、新大久保駅から新宿駅を経て代々木駅に向けて移動中であることを示す矢印１１０と共に、上記楽曲歌手表示１０１及び楽曲画像１００、上記楽曲歌手表示１０３及び楽曲画像１０２、並びに上記楽曲歌手表示１０５及び楽曲画像１０４が表示される。このとき、再生装置ＳＴが現在位置している新宿駅に関連付けられた楽曲「Let’s Gogo」を示す楽曲歌手表示１０３及び楽曲画像１０２が、ディスプレイ２２の中央に大きく、「playing」の文字と共に表示される。これに対し、一つ手前の駅に相当する新大久保駅に関連付けられた楽曲「あうお」を示す楽曲歌手表示１０１及び楽曲画像１００は、ディスプレイ２２の左端に小さめに「past」の文字と共に表示される。更に一つ先の駅に相当する代々木駅に関連付けられた楽曲「ＡＣＥ」を示す楽曲歌手表示１０５及び楽曲画像１０４は、ディスプレイ２２の右端に、楽曲歌手表示１０１及び楽曲画像１００と同じ程度の大きさで「next」の文字と共に表示される。更にまた、この場合のディスプレイ２２には、その下辺近くに、新大久保駅から新宿駅を経て代々木駅に至る山手線であることを示す路線表示２００が、新宿駅を示す駅表示２０１と共に、山手線を表す緑色を用いて且つ実際の駅にある駅名看板に似せた態様で表示される。これらにより、現在新宿駅に停車中であることが直感的に認識可能な画像となる。
【００６８】
次に、図８（ａ）に例示する画像がディスプレイ２２に表示されている状態において、再生装置ＳＴを携帯する使用者が乗車する電車が新宿駅を発車すると（図６ステップＳ１７；ＹＥＳ参照）、楽曲としては新宿駅に関連付けられた楽曲「Let’s Gogo」が引き続き再生されているが、画像としては図８（ｂ）に例示するように、先ず新大久保駅に関連付けられた上記楽曲歌手表示１０１及び楽曲画像１００は、図８（ａ）に例示する場合に比してディスプレイ２２の更に左端に移動し且つ更に小さく、「past」の文字と共に表示される（図６ステップＳ１８参照）。また発車した新宿駅に関連付けられた上記楽曲歌手表示１０３及び楽曲画像１０２は、図８（ａ）に例示する場合に比してディスプレイ２２の中心からやや左方に移動し且つやや小さく、「playing」の文字と共に表示される（図６ステップＳ１８参照）。更に、これから到着する代々木駅に関連付けられた上記楽曲歌手表示１０５及び楽曲画像１０４は、図８（ａ）に例示する場合に比してディスプレイ２２のやや左方に移動し且つやや大きく、「next」の文字と共に表示される（図６ステップＳ１８参照）。なお、図８（ａ）に例示する場合に表示されていた路線表示２００は、図８（ｂ）に例示するように、新宿駅を発車したタイミングから、新宿駅から代々木駅に移動中であることを示す緑色の路線表示２１０に変更される（図６ステップＳ１８参照）。この路線表示２１０には、新宿駅から代々木駅に移動している当該電車等の位置を示す現在位置マークＰＭと、再生装置ＳＴを携帯する使用者が当該電車等の位置に存在していることを示す使用者マークＹＭと、が、合わせて表示される。これらにより、現在新宿駅から代々木駅に向けて移動中であること（換言すれば、次の駅が代々木駅であること）が直感的に認識可能な画像となる。なお図８（ｂ）に例示する場合において、電車等の移動に合わせて、上記現在位置マークＰＭ及び使用者マークＹＭの表示位置を、次の駅の方向（図８（ｂ）において右方向）に移動させるように構成してもよい。
【００６９】
なお、図８（ａ）及び図８（ｂ）のいずれの例でも、関連する画像が現在表示されている楽曲に相当する楽曲データを、例えば電子商取引システムを介して購入する場合に操作される購入ボタン１２０が、当該画像等と共にディスプレイ２２に表示される。
【００７０】
以上それぞれ説明したように、実施例に係る再生処理によれば、現在位置データ及び移動位置データ、方向データ並びに楽曲データ等を取得し、当該取得され楽曲データ及び画像データを、それが関連付けられている駅又は駅間及び路線並びに移動方向に関連付けて再生及び表示する。このとき、駅からの発車又は駅への接近に応じて、発車前又は接近前に出力されていた楽曲データの再生態様及び画像データの表示態様を、発車又は接近に対応した当該再生態様及び当該表示態様に変更するように制御する（図６ステップＳ９及びステップＳ１８参照）。よって、駅又は駅間に関連付けられた楽曲を再生する場合に、駅からの発車又は駅への接近に伴ってその再生態様及び表示態様が変更されるので、再生装置ＳＴの使用者に対して当該発車又は接近を注意喚起できると共に、楽曲自体に対する興味も増大させ得る。
【００７１】
また、駅への接近に応じて、それまで再生されていた楽曲の再生音量を下げるように制御すると共に、駅への接近後に、それまでに再生されていた楽曲を、その駅に関連付けられた他の楽曲に切り換えて再生する。よって、駅への接近を使用者に効果的に認識させることができると共に、接近後の駅に関連する楽曲を迅速に再生することができる。
【００７２】
更に、駅等が属する路線を示す色又は形（図８に例示する場合は、山手線の緑色、及び駅の駅名看板に似せた表示形態）を用いて、駅等を示す画像をディスプレイ２２に表示する（図８参照）。よって、駅等を移動中において当該駅等に関連付けられた画像を表示することができる。
【００７３】
更にまた、駅への接近に対応して、当該接近する駅に関連付けられた画像が漸次大きくなるように表示を制御すると共に、当該駅からの発車に対応して、当該発車する駅に関連付けられた画像を漸次小さくするように表示を制御する（図８（ｂ）参照）ので、より興味深く、当該関連する画像を表示することができる。
【００７４】
このとき、サーバ装置ＳＶに記録されている時刻表データベースＴＤＢから各駅への到着予定時刻又は当該駅からの発車予定時刻を示す時刻データを取得し、これらと再生装置ＳＴ上の図示しないタイマ等を比較することで、当該駅への接近又は駅からの発車を検出するように構成してもよい。この場合は、時刻に基づいて正確に発車又は接近を検出し、必要な楽曲の再生制御を行うことができる。
【００７５】
また、再生装置ＳＴを携帯する使用者が乗車する電車等又は駅の構内から送信される識別データを受信することにより駅への接近又は駅からの発車を検出するように構成する場合には、電車等から取得される識別データに基づいて正確に当該接近又は発車を検出し、必要な楽曲の再生制御を行うことができる。
【００７６】
更に、センサ１３により当該再生装置ＳＴに印加される加速度を検出することにより、駅への接近に伴う減速又は駅からの発車に伴う加速を検出し、これにより当該駅への接近又は駅からの発車を検出するように構成してもよい。この場合には、再生装置ＳＴに印加される加速度に基づいて正確に駅からの発車又は接近を検出し、必要な楽曲の再生制御を行うことができる。
【００７７】
更にまた、再生装置ＳＴを携帯する使用者が乗車する電車等又は駅から、当該移動を示す路線データや方向データを取得するように構成してもよい。この場合には、再生装置ＳＴが電車等と共に移動している場合でも、正確に路線データ及び方向データを取得して楽曲の再生制御を行うことができる。
【００７８】
また、センサ１３により検出した再生装置ＳＴの現在位置を過去に遡って記録部１１に記録しておく構成とし、これにより再生装置ＳＴの移動軌跡を生成し、これに基づいて現在再生装置ＳＴを携帯している使用者が乗車している電車等の路線名や移動方向を検出するように構成してもよい。この場合には、再生装置ＳＴが移動した軌跡を用いることで、当該移動に適合した楽曲の再生制御を行うことができる。
【００７９】
［変形例］
次に、実施形態に係る変形例について説明する。なお以下に説明する各変形例において、実施例に係る再生装置ＳＴ及びサーバ装置ＳＶと同様の構成については、同様の部材番号を付して細部の説明は省略する。
【００８０】
（１）第１変形例
始めに第１変形例について、図９を用いて説明する。なお図９は、第１変形例に係る再生装置の概要構成を示すブロック図である。
【００８１】
上述した実施例では、関連付けテーブルＴ、路線データベースＲＤＢ、時刻表データベースＴＤＢ、楽曲データベースＭＤＢ及び楽曲関連データベースＶＤＢをサーバ装置ＳＶの記録部２２に記録し、ネットワークＮＷを介してこれらに記録されているデータを取得する構成とした。これに対して第１変形例では、図９に示すように、これら関連付けテーブルＴ等を、再生装置ＳＳＴのＨＤＤ又はＳＳＤ等からなる記録部１１Ａに不揮発性に記録しておき、これらに記録されているデータを用いて実施例に係る再生処理を行う。この第１変形例に係る再生装置ＳＳＴの構成であれば、記録部１１Ａとして必要とされる記録容量は実施例に係る再生装置ＳＴの記録部１１よりも大きくはなるが、ネットワークＮＷ及びサーバ装置ＳＶがない場合でも、実施例に係る再生処理と同様の再生処理を実行し、同様の作用効果を奏することができる。
【００８２】
（２）第２変形例
次に第２変形例として、上述した実施例では各駅に接近する度に、それまで再生した楽曲の再生音量を低減することとした。これに対して第２変形例では、再生装置ＳＴにおいてそれを携帯する使用者が降車する駅を指定させ、当該指定された降車駅への接近時にのみ、それまで再生されていた楽曲の再生音量を低減するように構成してもよい。この第２変形例の構成によれば、降車駅と他の駅との区別を使用者が明確に認識できると共に、降車駅への接近も明確に認識することができるという作用効果を奏する。
【００８３】
（３）第３変形例
次に第３変形例として、上述した第２変形例では当該使用者の降車駅への接近時にのみ、それまで再生されていた楽曲の再生音量を低減するように構成したが、これに関連して第３変形例では、降車駅へ接近する際の車内アナウンスが行われる予め設定されたタイミングにおいて、当該タイミングの前に再生されていた楽曲の再生音量を低減するように構成してもよい。この第３変形例の構成によれば、降車駅を示す車内アナウンスを聞き逃すことを防止できるという作用効果を奏する。
【００８４】
（４）第４変形例
次に第４変形例として、上述した実施例では各駅に接近する度に、それまで再生した楽曲の再生音量を低減することとした。これに対して第４変形例では、再生装置ＳＴにおいてそれを携帯する使用者が降車する駅を指定させ、当該指定された降車駅への接近時にのみ、それまで再生されていた楽曲の再生音量を増大するように構成してもよい。この第４変形例の構成によれば、再生装置ＳＴの使用者が降車駅で乗り越すことを防止できるという作用効果を奏する。
【００８５】
（５）第５変形例
最後に第５変形例として、上述した実施例では各駅に接近する度に、それまで再生した楽曲の再生音量を低減することとしたが、これ以外に第５変形例では、再生装置ＳＴにおいてそれを携帯する使用者が乗車する電車等において車内アナウンスが行われる予め設定された放送タイミングにおいて、当該放送タイミングの前に再生されていた楽曲の再生音量を低減するように構成してもよい。なおこの場合の放送タイミングは、次の駅に到着する時刻から遡って予め設定された時間前のタイミングを検出するように構成してもよいし、当該電車等から車内に送信されている識別データを受信することにより検出するように構成してもよい。この第５変形例の構成によれば、電車等内での車内アナウンスを聞き逃すことを防止できるという作用効果を奏する。
【００８６】
（６）その他
また上述してきた実施例及び各変形例では、再生装置ＳＴを携帯する使用者が電車等に乗車して移動する場合に本願を適用したが、これ以外に、例えば高速道路を移動する車両に乗車する使用者が携帯する再生装置ＳＴにおける楽曲の再生処理に本願を適用するように構成してもよい。この場合、実施例及び各変形例に係る駅はサービスエリアやパーキングエリア或いはインターチェンジに相当し、実施例及び各変形例に係る駅間は、例えば当該サービスエリアとパーキングエリアとの間の区間に相当する。
【００８７】
更に上述してきた実施例及び各変形例では、再生装置ＳＴにおいて表示する画像を当該再生装置ＳＴにおいて再生する楽曲に関連する画像としたが、これ以外に、例えば駅又は駅間において広告宣伝すべき物品等に関連する画像を、当該駅又は駅間の移動に対応させて表示するように構成してもよい。
【００８８】
更にまた、図６に示したフローチャートに相当するプログラムを、光ディスク又はハードディスク等の記録媒体に記録しておき、或いはインターネット等のネットワークを介して取得しておき、これを汎用のマイクロコンピュータ等に読み出して実行することにより、当該マイクロコンピュータ等を実施例に係る再生装置ＳＴの処理部１０として機能させることも可能である。
【符号の説明】
【００８９】
１    取得手段（内部インターフェース）
２    出力手段
２１    スピーカ
２２    ディスプレイ
３    制御手段
３１    再生制御部
３２    表示制御部
１００、１０２、１０４    楽曲画像
１０１、１０３、１０５    楽曲歌手表示
２００、２１０    路線表示
２０１    駅表示
Ｓ    出力装置
ＳＴ、ＳＴ１、ＳＴ２、ＳＴｎ、ＳＳＴ    再生装置
ＳＳ    再生システム
Ｔ    関連付けテーブル
ＲＤＢ    路線データベース
ＭＤＢ    楽曲データベース
ＶＤＢ    楽曲関連データベース
ＰＭ    現在位置マーク
ＹＭ    使用者マーク
【図１】
2016188959.tif 000003
【図２】
2016188959.tif 000004
【図３】
2016188959.tif 000005
【図４】
2016188959.tif 000006
【図５】
2016188959.tif 000007
【図６】
2016188959.tif 000008
【図７】
2016188959.tif 000009
【図９】
2016188959.tif 000010
【図８】
2016188959.tif 000011